(57)【要約】【課題】本発明は、空気式放射空調システムの構成要素の数を少なくした上で、床材の一部のみを放射空調することの可能な空気式放射空調システムを提供することを目的とする。【解決手段】床材の下面に設けられ、Ｘ方向において接触した状態で直列配置された複数の放射パネル５２Ａ〜５２Ｐからなる放射パネル群１７Ａ〜１７Ｄと、入力された情報に基づいて、複数の放射パネルのうち、一部の放射パネルのみに冷風または温風を供給する制御装置２８と、を備え、Ｘ方向において、互いに隣り合う放射パネル５２Ａ〜５２Ｐのうち、前段に配置された放射パネルの空気導出口６１Ｂは、後段に配置された放射パネルの空気導入口６１Ａと連通している。【選択図】図４
2019215132.tif 000002
【特許請求の範囲】
【請求項１】
部屋の天井の上に設けられるとともに、前記天井の下面側から吸い込んだ該部屋内の空気と冷媒とを熱交換させる室内熱交換器、及び前記室内熱交換器と熱交換した前記空気を送風する送風ファンを有する室内機と、
前記部屋の外に設けられるとともに、該部屋の外の空気を取り込むファン、及び該ファンに取り込まれた空気と前記冷媒とを熱交換させる室外熱交換器を含む室外機と、
前記冷媒が循環するとともに、前記室内熱交換器、及び前記室外熱交換器と接続された冷媒循環ラインと、該室内熱交換器と、該室外熱交換器と、を有する冷凍サイクルと、
前記送風ファンにより送風された冷風または温風を前記部屋の床材の下方に導く空気案内用ダクトと、
前記床材に形成され、前記冷風または前記温風を前記部屋内に吹き出させる吹き出し口と、
前記床材の下面に設けられ、前記空気案内用ダクト側から前記吹き出し口側に向かう第1の方向において接触した状態で直列配置された複数の放射パネルからなる放射パネル群と、
入力された情報に基づいて、前記複数の放射パネルのうち、一部の放射パネルのみに前記冷風または前記温風を供給する制御装置と、
を備え、
前記複数の放射パネルは、前記空気案内用ダクトを通過した前記冷風または前記温風が導入される空気導入口と、
前記第１の方向において前記空気導入口と対向し、前記冷風または前記温風を導出する空気導出口と、
前記第１の方向に延び、前記空気導入口及び前記空気導出口と連通するバイパス用流路と、
前記バイパス用流路よりも流路長が長く、前記空気導入口及び前記空気導出口と連通する放射空調用流路と、
前記制御装置により制御され、前記バイパス用流路のみに前記冷風または前記温風を供給するか、前記放射空調用流路に前記冷風または前記温風を供給するかを切り替える流路切替部と、
をそれぞれ有しており、
前記第１の方向において、互いに隣り合う前記放射パネルのうち、前段に配置された放射パネルの前記空気導出口は、後段に配置された放射パネルの前記空気導入口と連通している空気式放射空調システム。
【請求項２】
前記床材の下方に配置された前記空気案内用ダクトの端部と一端が接続された第１の配管と、
前記吹き出し口と一端が接続された第２の配管と、
をさらに備え、
前記第１の配管の他端は、前記第１の方向において、前記放射パネル群の両端に配置された２つの前記放射パネルのうち、前記空気案内用ダクト側に配置された一方の放射パネルの前記空気導入口と接続されており、
前記第２の配管の他端は、前記第１の方向において、前記放射パネル群の両端部を構成する２つの前記放射パネルのうち、前記吹き出し口側に配置された他方の放射パネルの前記空気導出口と接続されている請求項１記載の空気式放射空調システム。
【請求項３】
前記放射パネル群は、前記第１の方向に対して直交する第２の方向に複数配置させる請求項１または２記載の空気式放射空調システム。
【請求項４】
前記放射空調用流路は、前記第１の方向に延びる第１の流路部と、前記第１の方向に対して直交する第２の方向に延び、かつ前記第１の流路部及び前記バイパス用流路と連通する複数の第２の流路部と、を含む請求項１から３のうち、いずれか一項記載の空気式放射空調システム。
【請求項５】
前記複数の放射パネルのうち、どの放射パネルの上方に人がいるかを検知した際の位置情報を前記制御装置に入力する人感センサを備え、
前記制御装置は、前記位置情報に基づいて、複数の前記流路切替部を制御することで、前記人の下方に位置する前記一部の放射パネルの前記放射空調用流路のみに前記冷風または前記温風を供給する請求項１から４のうち、いずれか一項記載の空気式放射空調システム。
【請求項６】
前記制御装置は、冷房運転開始時に前記一部の放射パネルの前記放射空調用流路のみに前記冷風を供給させ、暖運転開始時に前記一部の放射パネルの前記放射空調用流路のみに前記温風を供給する請求項５記載の空気式放射空調システム。
【請求項７】
前記床材の温度を検出するとともに、検出した前記床材の温度情報を前記制御装置に入力する温度センサを備え、
前記制御装置は、冷房運転開始時において、前記床材のうち、他の領域よりも温度が高い領域の下方に位置する前記一部の放射パネルの前記放射空調用流路に前記冷風を供給する請求項１から３のうち、いずれか一項記載の空気式放射空調システム。
【請求項８】
前記床材の温度を検出するとともに、検出した前記床材の温度情報を前記制御装置に入力する温度センサを備え、
前記制御装置は、暖房運転開始時において、前記床材のうち、他の領域よりも温度が低い領域の下方に位置する前記一部の放射パネルの前記放射空調用流路に前記温風を供給する請求項１から３のうち、いずれか一項記載の空気式放射空調システム。
【発明の詳細な説明】
【技術分野】
【０００１】
本発明は、空気式放射空調システムに関する。
【背景技術】
【０００２】
空気式放射空調システムとして、空調による冷風及び温風を使用して床冷暖房を行うとともに、床冷暖房に使用した空気（冷風または温風）を床吹出口から室内に吹き出すことで、室内の冷暖房を行うものがある（例えば、特許文献１参照）。
【０００３】
特許文献１には、部屋のスラブ上に複数の間隔保持体により支持されたパネルボードを設け、パネルボードとスラブとの間に通気空間を形成し、通気空間に冷風及び温風を流すことで床冷暖房を行うことが開示されている。
また、特許文献１には、通気空間を通気した冷風または温風を、部屋の端部に設置したグリルから室内に吹き出させることで、部屋の冷暖房を行う技術が開示されている。
【先行技術文献】
【特許文献】
【０００４】
【特許文献１】特開２００４−２３２９８９号公報
【発明の概要】
【発明が解決しようとする課題】
【０００５】
ところで、特許文献１に開示された空気式放射空調システムでは、パネルボードとスラブとの間に形成された通気空間全体に冷風または温風を供給するため、パネルボード全体を放射空調することは可能であるが、パネルボード（床材）の一部のみを放射空調することが困難であった。
また、パネルボード（床材）の一部のみを放射空調する場合、コストの観点から空気式放射空調システムを構成する構成要素の数が少ないことが好ましい。
【０００６】
そこで、本発明は、空気式放射空調システムの構成要素の数を少なくした上で、床材の一部のみを放射空調することの可能な空気式放射空調システムを提供することを目的とする。
【課題を解決するための手段】
【０００７】
上記課題を解決するため、本発明の一態様に係る空気式放射空調システムは、部屋の天井の上に設けられるとともに、前記天井の下面側から吸い込んだ該部屋内の空気と冷媒とを熱交換させる室内熱交換器、及び前記室内熱交換器と熱交換した前記空気を送風する送風ファンを有する室内機と、前記部屋の外に設けられるとともに、該部屋の外の空気を取り込むファン、及び該ファンに取り込まれた空気と前記冷媒とを熱交換させる室外熱交換器を含む室外機と、前記冷媒が循環するとともに、前記室内熱交換器、及び前記室外熱交換器と接続された冷媒循環ラインと、該室内熱交換器と、該室外熱交換器と、を有する冷凍サイクルと、前記送風ファンにより送風された冷風または温風を前記部屋の床材の下方に導く空気案内用ダクトと、前記床材に形成され、前記冷風または前記温風を前記部屋内に吹き出させる吹き出し口と、前記床材の下面に設けられ、前記空気案内用ダクト側から前記吹き出し口側に向かう第1の方向において接触した状態で直列配置された複数の放射パネルからなる放射パネル群と、入力された情報に基づいて、前記複数の放射パネルのうち、一部の放射パネルのみに前記冷風または前記温風を供給する制御装置と、を備え、前記複数の放射パネルは、前記空気案内用ダクトを通過した前記冷風または前記温風が導入される空気導入口と、前記第１の方向において前記空気導入口と対向し、前記冷風または前記温風を導出する空気導出口と、前記第１の方向に延び、前記空気導入口及び前記空気導出口と連通するバイパス用流路と、前記バイパス用流路よりも流路長が長く、前記空気導入口及び前記空気導出口と連通する放射空調用流路と、前記制御装置により制御され、前記バイパス用流路のみに前記冷風または前記温風を供給するか、前記放射空調用流路に前記冷風または前記温風を供給するかを切り替える流路切替部と、をそれぞれ有しており、前記第１の方向において、互いに隣り合う前記放射パネルのうち、前段に配置された放射パネルの前記空気導出口は、後段に配置された放射パネルの前記空気導入口と連通している。
【０００８】
本発明によれば、入力された情報に基づいて、複数の放射パネルのうち、一部の放射パネルの放射空調用流路にのみに冷風または温風を供給する制御装置を有することで、床材の一部のみを放射空調することが可能となるので、床材の一部を効率良く放射空調することができる。
【０００９】
また、床材の下面に設けられ、空気案内用ダクト側から吹き出し口側に向かう第1の方向において接触した状態で直列配置された複数の放射パネルからなる放射パネル群と、制御装置により制御され、バイパス用流路のみに冷風または温風を供給するか、放射空調用流路に冷風または温風を供給するかを切り替える流路切替部と、を備えるとともに、第１の方向において、互いに隣り合う放射パネルのうち、前段に配置された放射パネルの空気導出口と後段に配置された放射パネルの空気導入口とを連通させることで、第１の方向において各放射パネルを構成するバイパス用流路を連通させることが可能となる。
これにより、第１の方向に配置された複数のバイパス用流路を、各放射パネルをバイパスさせるバイパス用流路として機能させることが可能となる。したがって、各放射パネルに対してそれぞれバイパス用の配管を設ける必要がないため、空気式放射空調システムの構成要素の数を少なくすることができる。
【００１０】
また、上記本発明の一態様に係る空気式放射空調システムにおいて、前記床材の下方に配置された前記空気案内用ダクトの端部と一端が接続された第１の配管と、前記吹き出し口と一端が接続された第２の配管と、をさらに備え、前記第１の配管の他端は、前記第１の方向において、前記放射パネル群の両端に配置された２つの前記放射パネルのうち、前記空気案内用ダクト側に配置された一方の放射パネルの前記空気導入口と接続されており、前記第２の配管の他端は、前記第１の方向において、前記放射パネル群の両端部を構成する２つの前記放射パネルのうち、前記吹き出し口側に配置された他方の放射パネルの前記空気導出口と接続されていてもよい。
【００１１】
このように、一端が空気案内用ダクトの端部と接続され、他端が放射パネル群の両端に配置された２つの放射パネルのうち、空気案内用ダクト側に配置された一方の放射パネルの空気導入口と接続された第１の配管と、一端が吹き出し口と接続され、他端が第１の方向において、放射パネル群の両端に配置された２つの放射パネルのうち、吹き出し口側に配置された他方の放射パネルの空気導出口と接続された第２の配管と、をさらに備えることで、第１の配管から供給された冷風または温風を一部の放射パネル内に供給することが可能になるとともに、一部の放射パネルを通過した冷風または空気を第２の配管に導出させることが可能となる。
つまり、各放射パネルに対して、空気導入口に冷風または温風を供給する配管、及び空気導出口から冷風または温風を回収する配管を各放射パネルに設ける必要がなくなるため、空気式放射空調システムの構成要素の数を少なくすることができる。
【００１２】
また、上記本発明の一態様に係る空気式放射空調システムにおいて、前記放射パネル群は、前記第１の方向に対して直交する第２の方向に複数配置させてもよい。
【００１３】
このように、第１の方向に対して直交する第２の方向に複数の放射パネル群を配置させることで、広いエリアに放射パネルを配置させることが可能となる。これにより、床材の上面の面積が広い場合でも床材の一部のみを放射空調することができる。
【００１４】
また、上記本発明の一態様に係る空気式放射空調システムにおいて、前記放射空調用流路は、前記第１の方向に延びる第１の流路部と、前記第１の方向に対して直交する第２の方向に延び、かつ前記第１の流路部及び前記バイパス用流路と連通する複数の第２の流路部と、を含んでもよい。
【００１５】
このように、第１の方向に延びる第１の流路部と、第１の方向に対して直交する第２の方向に延び、かつ第１の流路部及びバイパス用流路と連通する複数の第２の流路部と、を放射空調用流路が含むことで、放射空調用流路に冷風または温風を流すことで、放射パネルの上方に位置する床材の一部を放射空調することができる。
【００１６】
また、上記本発明の一態様に係る空気式放射空調システムにおいて、前記複数の放射パネルのうち、どの放射パネルの上方に人がいるかを検知した際の位置情報を前記制御装置に入力する人感センサを備え、前記制御装置は、前記位置情報に基づいて、複数の前記流路切替部を制御することで、前記人の下方に位置する前記一部の放射パネルの前記放射空調用流路のみに前記冷風または前記温風を供給してもよい。
【００１７】
このように、複数の放射パネルのうち、どの放射パネルの上方に人がいるかを検知した際の位置情報を制御装置に入力する人感センサを備えるとともに、制御装置により、位置情報に基づいて、複数の流路切替部を制御装置が制御して、人の下方に位置する一部の放射パネルの放射空調用流路のみに冷風または温風を供給することで、人の下方に位置する床材のみを放射空調させることができる。
【００１８】
また、上記本発明の一態様に係る空気式放射空調システムにおいて、前記制御装置は、冷房運転開始時に前記一部の放射パネルの前記放射空調用流路のみに前記冷風を供給させ、暖運転開始時に前記一部の放射パネルの前記放射空調用流路のみに前記温風を供給してもよい。
【００１９】
このように、冷房運転開始時において、制御装置により、一部の放射パネルの放射空調用流路のみに冷風を供給することで、一部の放射パネルの上方に位置する床材のみを優先して冷却させることができる。
また、暖房運転開始時において、制御装置により、一部の放射パネルの放射空調用流路のみに温風を供給することで、一部の放射パネルの上方に位置する床材のみを優先して温めることができる。
【００２０】
また、本発明の一態様に係る空気式放射空調システムは、前記床材の温度を検出するとともに、検出した前記床材の温度情報を前記制御装置に入力する温度センサを備え、
前記制御装置は、冷房運転開始時において、前記床材のうち、他の領域よりも温度が高い領域の下方に位置する前記一部の放射パネルの前記放射空調用流路に前記冷風を供給してもよい。
【００２１】
このように、床材の温度を検出するとともに、検出した床材の温度情報を制御装置に入力する温度センサを備えるとともに、冷房運転開始時において、床材のうち、他の領域よりも温度が高い領域の下方に位置する一部の放射パネルの放射空調用流路に冷風を供給することで、温度が高い領域を優先的に冷却（放熱空調）させることができる。
【００２２】
また、本発明の一態様に係る空気式放射空調システムは、前記床材の温度を検出するとともに、検出した前記床材の温度情報を前記制御装置に入力する温度センサを備え、前記制御装置は、暖房運転開始時において、前記床材のうち、他の領域よりも温度が低い領域の下方に位置する前記一部の放射パネルの前記放射空調用流路に前記温風を供給してもよい。
【００２３】
このように、床材の温度を検出するとともに、検出した床材の温度情報を制御装置に入力する温度センサを備えるとともに、暖房運転開始時において、床材のうち、他の領域よりも温度が低い領域の下方に位置する一部の放射パネルの放射空調用流路に温風を供給することで、温度が低い領域を優先的に温める（放熱空調）させることができる。
【発明の効果】
【００２４】
本発明によれば、空気式放射空調システムの構成要素の数を少なくした上で、床材の一部のみを放射空調することができる。
【図面の簡単な説明】
【００２５】
【図１】本発明の実施形態に係る空気式放射空調システムの概略構成を模式的に示す断面図である。
【図２】図１に示す構造体のＡ１−Ａ２方向の断面図である。
【図３】図２に示す複数の放射パネルのうちの１つの放射パネルの内部構造を示す断面図である。
【図４】図１に示す空気案内用ダクト及び制御装置、並びに図２に示す吹き出し口と図２に示す複数の放射パネルとの接続関係を説明するための模式的な図である。
【図５】図１に示す制御装置の機能ブロック図である。
【図６】一部の床材のみを本実施形態の空気式放射空調システムを用いて放射空調する方法を説明するためのフローチャートである。
【図７】本発明の実施形態の変形例に係る空気式放射空調システムの概略構成を模式的に示す断面図である。
【図８】図７に示す制御装置の機能ブロック図である。
【図９】一部の床材のみを本実施形態の変形例に係る空気式放射空調システムを用いて放射空調する方法を説明するためのフローチャートである。
【発明を実施するための形態】
【００２６】
（実施形態）
図１〜図４を参照して、本実施形態に係る空気式放射空調システム１０について説明する。図１及び図２に示すＭは、人（以下、「人Ｍ」という）を示している。図３に示すＣは、ダンパ６６の回動する方向（以下、「Ｃ方向」という）を示している。図１、図３、及び図４に示す矢印は、冷風または温風の移動方向を示している。
図１〜図４に示すＸ方向は、空気案内用ダクト１５側から吹き出し口１６Ａ〜１６Ｄ側に向かう第1の方向（壁２，３、床材４、及び天井６で区画された部屋７の長さ方向）を示している。図２〜図４に示すＹ方向は、Ｘ方向に対して直交する第２の方向（部屋７の幅方向）を示している。図１に示すＺ方向は、Ｘ方向及びＹ方向に対して直交する部屋７の高さ方向を示している。図１〜図４において、同一構成部分には同一符号を付す。
【００２７】
空気式放射空調システム１０は、室内機１１と、室外機１２と、冷凍サイクル１４と、空気案内用ダクト１５と、吹き出し口１６Ａ〜１６Ｄと、放射パネル群１７Ａ〜１７Ｄと、複数の支持部材１９と、第１の配管２１Ａ〜２１Ｄと、第２の配管２２Ａ〜２２Ｄと、人感センサ２６と、制御装置２８と、を有する。
【００２８】
室内機１１は、筐体３５と、フィルタ３７と、室内熱交換器３８と、送風ファン４２と、を有する。
【００２９】
筐体３５は、部屋７の天井６の上面６ａに配置されている。筐体３５は、下方に突出するとともに吸い込み口３５Ｂが形成された突出部３５Ａを有する。
突出部３５Ａは、天井６に形成された開口部６Ａに挿入されている。吸い込み口３５Ｂは、部屋７内の空間と連通している。吸い込み口３５Ｂは、部屋７内の空気（対流空調に使用した空気（冷風または温風）も含む）を筐体３５内に導く。
【００３０】
筐体３５のうち、壁２と対向する部分には、導出口３５Ｃが形成されている。導出口３５Ｃは、空気案内用ダクト１５の上端部１５Ａと接続されている。
室内機１１の導出口３５Ｃから導出された冷風または温風は、空気案内用ダクト１５内に導出される。
【００３１】
フィルタ３７は、吸い込み口３５Ｂに設けられている。フィルタ３７は、空気に含まれるゴミ等を除去する。
【００３２】
室内熱交換器３８は、筐体３５内に収容されている。室内熱交換器３８は、冷凍サイクル１４を構成する冷媒循環ライン５１に設けられている。
室内熱交換器３８は、冷媒循環ライン５１により供給された冷媒と吸い込み口３５Ｂから吸い込んだ空気とを熱交換させる。
【００３３】
送風ファン４２は、筐体３５内に収容されている。送風ファン４２は、室内熱交換器３８により生成された冷風または温風を空気案内用ダクト１５内に導くためのファンである。
【００３４】
室外機１２は、部屋７の外に設けられている。室外機１２は、筐体４５と、膨張弁３９と、室外熱交換器４６と、圧縮機４７と、ファン４９と、を有する。
【００３５】
筐体４５は、Ｘ方向一方側に配置された部分が壁２の外面と対向するように配置されている。筐体４５は、Ｘ方向他方側に形成された外気取り込み口４５Ａを有する。
【００３６】
膨張弁３９は、筐体４５内に収容されている。膨張弁３９は、冷媒循環ライン５１に設けられている。膨張弁３９は、冷媒循環ライン５１により供給された冷媒を膨張させることで高温高圧の冷媒を生成する。
【００３７】
室外熱交換器４６は、筐体４５内に収容されている。室外熱交換器４６は、冷媒循環ライン５１に設けられている。
室外熱交換器４６は、冷媒循環ライン５１により供給された冷媒と外気取り込み口４５Ａから取り込んだ外気とを熱交換させる。
【００３８】
圧縮機４７は、筐体４５内に収容されている。圧縮機４７は、冷媒循環ライン５１に設けられている。圧縮機４７は、冷媒循環ライン５１により供給された冷媒を圧縮することで低温低圧の冷媒を生成する。
ファン４９は、外気取り込み口４５Ａと対向するように、筐体４５内に収容されている。
【００３９】
冷凍サイクル１４は、室内熱交換器３８、膨張弁３９、室外熱交換器４６、及び圧縮機４７と接続され、かつ冷媒が循環する冷媒循環ライン５１と、室内熱交換器３８と、膨張弁３９と、室外熱交換器４６と、圧縮機４７と、を有する。
【００４０】
空気案内用ダクト１５は、壁２の近傍に位置する天井６に形成された開口部６Ｂと、開口部６Ｂの下方に位置する床材４に形成された開口部４Ａと、に挿入された状態で設けられている。
空気案内用ダクト１５の上端部１５Ａは、天井６の上面６ａよりも上方に配置されており、筐体３５の吸い込み口３５Ｂと接続されている。
空気案内用ダクト１５の下端部１５Ｂは、床材４の下方に配置されている。空気案内用ダクト１５の下端部１５Ｂは、第１の配管２１Ａ〜２１Ｄの一端と接続されている。これにより、第１の配管２１Ａ〜２１Ｄには、空気案内用ダクト１５を通過した冷風または温風が供給される。
空気案内用ダクト１５のうち、天井６と床材４との間に配置された部分は、Ｚ方向に延びている。
【００４１】
吹き出し口１６Ａ〜１６Ｄは、壁３の近傍に位置する床材４に形成されている。吹き出し口１６Ａ〜１６Ｄは、平面視矩形とされた開口部である。吹き出し口１６Ａ〜１６Ｄは、Ｙ方向に対して、吹き出し口１６Ａ、吹き出し口１６Ｂ、吹き出し口１６Ｃ、吹き出し口１６Ｄの順で配置されている。
【００４２】
放射パネル群１７Ａ〜１７Ｄは、放射パネル５２Ａ〜５２Ｐのうち、４つの放射パネル（複数の放射パネル）をそれぞれ有した構成とされている。放射パネル５２Ａ〜５２Ｐは、同一構成とされた放射パネルである。
【００４３】
ここで、放射パネル群１７Ａ〜１７Ｄについて詳細に説明する前に、放射パネル５２Ａを例に挙げて、放射パネル５２Ａ〜５２Ｐの構成について説明する（図３参照）。
放射パネル５２Ａは、筐体６１と、流路６８を区画する流路形成用部材６３〜６５と、ダンパ６６（流路切替部）と、を有する。筐体６１は、外形が直方体形状とされており、内部に中空部を有する。
【００４４】
筐体６１は、Ｘ方向一方側に形成された空気導入口６１Ａと、Ｘ方向他方側に形成された空気導出口６１Ｂと、を有する。
空気導入口６１Ａは、筐体６１の角部近傍に配置されている。空気導入口６１Ａは、空気案内用ダクト１５を経由した冷風または温風を筐体６１内に導く。空気導入口６１Ａは、Ｙ方向に対して直交する筐体６１の端面６１ａ、及びＸ方向に対して直交する筐体６１の端面６１ｂに露出されている。端面６１ａ，６１ｂは、ダンパ６６が当接される面である。
空気導出口６１Ｂは、Ｘ方向において空気導入口６１Ａと対向するように形成されている。
【００４５】
流路形成用部材６３〜６５は、筐体６１内に流路６８を区画する直方体形状とされた部材であり、筐体６１内に収容されている。流路形成用部材６３〜６５は、Ｘ方向に間隔を空けた状態で配列されている。
【００４６】
流路６８は、バイパス用流路７１と、放射空調用流路７２と、を有する。
バイパス用流路７１は、Ｘ方向に延びる流路であり、空気導入口６１Ａ及び空気導出口６１Ｂを連通させている。バイパス用流路７１は、放射空調用流路７２に冷風または温風を供給しない場合（つまり、放射空調用流路７２をバイパスさせる場合）に冷風または温風を流す流路である。また、放射空調用流路７２に冷風または温風を供給する場合において、バイパス用流路７１の一部にも冷風または温風が供給される。
【００４７】
放射空調用流路７２は、バイパス用流路７１よりも流路長が長い流路である。放射空調用流路７２は、第１の流路部７２Ａと、第２の流路部７２Ｂ〜７２Ｅ（複数の第２の流路部）と、を有する。
第１の流路部７２Ａは、Ｙ方向において、流路形成用部材６３〜６５を挟んで、バイパス用流路７１と対向している。
【００４８】
第２の流路部７２Ｂ〜７２Ｅは、Ｙ方向に延びる流路部である。第２の流路部７２Ｂは、筐体６１のＸ方向一方側と流路形成用部材６３との間に形成されている。第２の流路部７２Ｃは、流路形成用部材６３と流路形成用部材６４との間に形成されている。
第２の流路部７２Ｄは、流路形成用部材６４と流路形成用部材６５との間に形成されている。第２の流路部７２Ｅは、流路形成用部材６５と筐体６１のＸ方向他方側との間に形成されている。
Ｙ方向に位置する第２の流路部７２Ｂ〜７２Ｅの両端部のうち、一方の端部が第１の流路部７２Ａと連通しており、他方の端部がバイパス用流路７１と連通している。
【００４９】
このような構成とされた第１及び第２の流路部７２Ａ〜７２Ｅを放射空調用流路７２が有することで、放射空調用流路７２に冷風または温風を流すことで、放射パネル５２Ａの上方に位置する床材４の一部を放射空調することができる。
【００５０】
ダンパ６６は、端面６１ａ，６１ｂに当接可能、かつＣ方向に回動可能な状態で筐体６１内に収容されている。
ダンパ６６は、制御装置２８と電気的に接続されている。制御装置２８は、端面６１ａ，６１ｂのうち、一方の端面に当接されるように各ダンパ６６を回動させる制御を行う。
ダンパ６６は、バイパス用流路７１のみに冷風または温風を供給するか、放射空調用流路７２に冷風または温風を供給するかを切り替える流路切替部として機能する。
【００５１】
図３に示すように、ダンパ６６が端面６１ａと接触した状態では、筐体６１内に導入された冷風または温風は、バイパス用流路７１のみを通過するため、放射空調にほとんど寄与しない。
一方、ダンパ６６が端面６１ｂと接触した状態において、筐体６１内に導入された冷風または温風は、第２の流路部７２Ｂに流れる。このため、冷風または温風は、第２の流路部７２Ｂを経由した後に、第１の流路部７２Ａ及び第２の流路部７２Ｃ〜７２Ｅに流れるため、放射空調に寄与する。そして、放射空調に寄与した冷風または温風は、空気導出口６１Ｂから導出される。
【００５２】
次に、放射パネル群１７Ａ〜１７Ｄについて順次説明する。
放射パネル群１７Ａは、床材４の下面４ｂと接触する放射パネル５２Ａ〜５２Ｄ（複数の放射パネル）を有する。放射パネル５２Ａ〜５２Ｄの上面は、それぞれ床材４の下面４ｂと接触している。
放射パネル５２Ａ〜５２Ｄは、放射パネル５２Ａ、放射パネル５２Ｂ、放射パネル５２Ｃ、放射パネル５２Ｄの順番で、空気案内用ダクト１５側から吹き出し口１６Ａに向かうＸ方向に互いに接触した状態で直列配置されている。
【００５３】
また、放射パネル５２Ａ〜５２Ｄは、Ｘ方向において、互いに隣り合う放射パネル５２Ａ〜５２Ｄのうち、前段（冷風または温風の流れ方向の上流側）に配置された放射パネルの空気導出口６１Ｂと後段（冷風または温風の流れ方向の下流側）に配置された放射パネルの空気導入口６１Ａとが連通するように配置されている。
【００５４】
このように、Ｘ方向において、互いに隣り合う放射パネル５２Ａ〜５２Ｄのうち、前段に配置された放射パネルの空気導出口６１Ｂと後段に配置された放射パネルの空気導入口６１Ａとを連通させることで、Ｘ方向において各放射パネル５２Ａ〜５２Ｄを構成するバイパス用流路７１を連通させることが可能となる。
【００５５】
これにより、Ｘ方向に配置された複数のバイパス用流路７１（図４の場合、一例として４つのバイパス用流路）を、各放射パネル５２Ａ〜５２Ｅの放射空調用流路７２をバイパスさせるバイパス用流路として機能させることが可能となる。
したがって、各放射パネル５２Ａ〜５２Ｄに対してそれぞれバイパス用の配管を設ける必要ないため、空気式放射空調システム１０の構成要素の数を少なくすることができる。
【００５６】
放射パネル群１７Ｂは、床材４の下面４ｂと接触する放射パネル５２Ｅ〜５２Ｈを有する。放射パネル５２Ｅ〜５２Ｈの上面は、それぞれ床材４の下面４ｂと接触している。放射パネル群１７Ｂは、放射パネル群１７ＡのＹ方向一方側に配置されている。放射パネル群１７Ｂは、Ｙ方向において放射パネル群１７Ａと接触している。
放射パネル５２Ｅ〜５２Ｈは、放射パネル５２Ｅ、放射パネル５２Ｆ、放射パネル５２Ｇ、放射パネル５２Ｈの順番で、空気案内用ダクト１５側から吹き出し口１６Ｂに向かうＸ方向に互いに接触した状態で直列配置されている。
【００５７】
また、放射パネル５２Ｅ〜５２Ｈは、Ｘ方向において、互いに隣り合う放射パネルのうち、前段に配置された放射パネルの空気導出口６１Ｂと後段に配置された放射パネルの空気導入口６１Ａとが連通するように配置されている。
【００５８】
放射パネル群１７Ｃは、床材４の下面４ｂと接触する放射パネル５２Ｉ〜５２Ｌを有する。放射パネル５２Ｉ〜５２Ｌの上面は、それぞれ床材４の下面４ｂと接触している。放射パネル群１７Ｃは、放射パネル群１７ＢのＹ方向一方側に配置されている。放射パネル群１７Ｃは、Ｙ方向において放射パネル群１７Ｂと接触している。
放射パネル５２Ｉ〜５２Ｌは、放射パネル５２Ｉ、放射パネル５２Ｊ、放射パネル５２Ｋ、放射パネル５２Ｌの順番で、空気案内用ダクト１５側から吹き出し口１６Ｃに向かうＸ方向に互いに接触した状態で直列配置されている。
【００５９】
また、放射パネル５２Ｉ〜５２Ｌは、Ｘ方向において、互いに隣り合う放射パネルのうち、前段に配置された放射パネルの空気導出口６１Ｂと後段に配置された放射パネルの空気導入口６１Ａとが連通するように配置されている。
【００６０】
放射パネル群１７Ｄは、床材４の下面４ｂと接触する放射パネル５２Ｍ〜５２Ｐを有する。放射パネル５２の上面は、それぞれ床材４の下面４ｂと接触している。放射パネル群１７Ｄは、放射パネル群１７ＣのＹ方向一方側に配置されている。放射パネル群１７Ｄは、Ｙ方向において放射パネル群１７Ｃと接触している。
放射パネル５２Ｍ〜５２Ｐは、放射パネル５２Ｍ、放射パネル５２Ｎ、放射パネル５２Ｏ、放射パネル５２Ｐの順番で、空気案内用ダクト１５側から吹き出し口１６Ｄに向かうＸ方向に互いに接触した状態で直列配置されている。
【００６１】
また、放射パネル５２Ｍ〜５２Ｐは、Ｘ方向において、互いに隣り合う放射パネルのうち、前段に配置された放射パネルの空気導出口６１Ｂと後段に配置された放射パネルの空気導入口６１Ａとが連通するように配置されている。
【００６２】
上述したように、Ｘ方向に対して直交するＹ方向に放射パネル群１７Ａ〜１７Ｄを配置させることで、広いエリアに放射パネル５２Ａ〜５２Ｐを配置させることが可能となる。これにより、床材４の上面４ａの面積が広い場合でも床材４の一部のみを放射空調することができる。
【００６３】
複数の支持部材１９は、床スラブ１の上面１ａと各放射パネル５２Ａ〜５２Ｐとの間に配置されている。支持部材１９は、放射パネル５２Ａ〜５２Ｐを支持するための部材である。
【００６４】
第１の配管２１Ａは、空気案内用ダクト１５の下端部１５Ｂと放射パネル群１７Ａとの間に配置されている。第１の配管２１Ａの一端は、床材４の下方に配置された空気案内用ダクト１５の下端部１５Ｂ（端部）と接続されている。
第１の配管２１Ａの他端は、Ｘ方向における放射パネル群１７Ａの両端部を構成する２つの放射パネル５２Ａ，５２Ｄのうち、空気案内用ダクト１５側に配置された放射パネル５２Ａ（一方の放射パネル）の空気導入口６１Ａと接続されている。第１の配管２１Ａは、放射パネル５２Ａの空気導入口６１Ａに冷風または温風を供給する。
【００６５】
第１の配管２１Ｂは、空気案内用ダクト１５の下端部１５Ｂと放射パネル群１７Ｂとの間に配置されている。第１の配管２１Ｂの一端は、空気案内用ダクト１５の下端部１５Ｂと接続されている。
第１の配管２１Ｂの他端は、Ｘ方向における放射パネル群１７Ｂの両端部を構成する２つの放射パネル５２Ｅ，５２Ｈのうち、空気案内用ダクト１５側に配置された放射パネル５２Ｅの空気導入口６１Ａと接続されている。第１の配管２１Ｂは、放射パネル５２Ｅの空気導入口６１Ａに冷風または温風を供給する。
【００６６】
第１の配管２１Ｃは、空気案内用ダクト１５の下端部１５Ｂと放射パネル群１７Ｃとの間に配置されている。第１の配管２１Ｃの一端は、空気案内用ダクト１５の下端部１５Ｂと接続されている。
第１の配管２１Ｃの他端は、Ｘ方向における放射パネル群１７Ｃの両端部を構成する２つの放射パネル５２Ｉ，５２Ｌのうち、空気案内用ダクト１５側に配置された放射パネル５２Ｉの空気導入口６１Ａと接続されている。第１の配管２１Ｃは、放射パネル５２Ｉの空気導入口６１Ａに冷風または温風を供給する。
【００６７】
第１の配管２１Ｄは、空気案内用ダクト１５の下端部１５Ｂと放射パネル群１７Ｄとの間に配置されている。第１の配管２１Ｄの一端は、空気案内用ダクト１５の下端部１５Ｂと接続されている。
第１の配管２１Ｄの他端は、Ｘ方向における放射パネル群１７Ｄの両端部を構成する２つの放射パネル５２Ｍ，５２Ｐのうち、空気案内用ダクト１５側に配置された放射パネル５２Ｍの空気導入口６１Ａと接続されている。第１の配管２１Ｄは、放射パネル５２Ｍの空気導入口６１Ａに冷風または温風を供給する。
【００６８】
第２の配管２２Ａは、吹き出し口１６Ａと放射パネル群１７Ａとの間に配置されている。第２の配管２２Ａの一端は、吹き出し口１６Ａと接続されている。
第２の配管２２Ａの他端は、Ｘ方向における放射パネル群１７Ａの両端部を構成する２つの放射パネル５２Ａ，５２Ｄのうち、吹き出し口１６Ａ側に配置された放射パネル５２Ｄの空気導出口６１Ｂと接続されている。
第２の配管２２Ａは、放射パネル群１７Ａを通過した冷風または温風を吹き出し口１６Ａに導くための配管である。
【００６９】
第２の配管２２Ｂは、吹き出し口１６Ｂと放射パネル群１７Ｂとの間に配置されている。第２の配管２２Ｂの一端は、吹き出し口１６Ｂと接続されている。
第２の配管２２Ｂの他端は、Ｘ方向における放射パネル群１７Ｂの両端部を構成する２つの放射パネル５２Ｅ，５２Ｈのうち、吹き出し口１６Ｂ側に配置された放射パネル５２Ｈの空気導出口６１Ｂと接続されている。
第２の配管２２Ｂは、放射パネル群１７Ｂを通過した冷風または温風を吹き出し口１６Ｂに導くための配管である。
【００７０】
第２の配管２２Ｃは、吹き出し口１６Ｃと放射パネル群１７Ｃとの間に配置されている。第２の配管２２Ｃの一端は、吹き出し口１６Ｃと接続されている。
第２の配管２２Ｃの他端は、Ｘ方向における放射パネル群１７Ｃの両端部を構成する２つの放射パネル５２Ｉ，５２Ｌのうち、吹き出し口１６Ｃ側に配置された放射パネル５２Ｌの空気導出口６１Ｂと接続されている。
第２の配管２２Ｃは、放射パネル群１７Ｃを通過した冷風または温風を吹き出し口１６Ｃに導くための配管である。
【００７１】
第２の配管２２Ｄは、吹き出し口１６Ｄと放射パネル群１７Ｄとの間に配置されている。第２の配管２２Ｄの一端は、吹き出し口１６Ｄと接続されている。
第２の配管２２Ｄの他端は、Ｘ方向における放射パネル群１７Ｄの両端部を構成する２つの放射パネル５２Ｍ，５２Ｐのうち、吹き出し口１６Ｄ側に配置された放射パネル５２Ｐの空気導出口６１Ｂと接続されている。
第２の配管２２Ｄは、放射パネル群１７Ｄを通過した冷風または温風を吹き出し口１６Ｄに導くための配管である。
【００７２】
人感センサ２６は、天井６の下面６ｂに固定されている。人感センサ２６は、制御装置２８と電気的に接続されている。人感センサ２６は、複数の放射パネル５２Ａ〜５２Ｐのうち、どの放射パネルの上方に人Ｍがいるかを検知した際の位置情報を制御装置２８に入力する。
人感センサ２６としては、例えば、画像センサ（カメラ）、超音波センサ、床センサ等を用いることが可能である。
【００７３】
次に、図１、図４、及び図５を参照して、制御装置２８について説明する。図５において、図１及び図４に示す構造体と同一構成部分には、同一符号を付す。
【００７４】
制御装置２８は、放射パネル特定部２８Ａと、ダンパ特定部２８Ｂと、ダンパ制御部２８Ｃと、を有する。
放射パネル特定部２８Ａには、人感センサ２６からの位置情報が入力される。
放射パネル特定部２８Ａは、入力された位置情報に基づいて、人Ｍの下方に位置する放射パネル（図１の場合、一例として、放射パネル５２Ｋ）を特定する。放射パネル特定部２８Ａは、特定した放射パネル（図１の場合、一例として、放射パネル５２Ｋ）の情報をダンパ特定部２８Ｂに入力する。
【００７５】
ダンパ特定部２８Ｂは、放射パネル５２Ｋのダンパ６６を特定し、特定したダンパ６６に関する情報をダンパ制御部２８Ｃに入力する。
ダンパ制御部２８Ｃは、ダンパ特定部２８Ｂから入力された情報に基づいて、放射パネル５２Ａ〜５２Ｐを構成する複数のダンパ６６を制御することで、放射パネル５２Ｋの放射空調用流路７２内のみに冷風または温風を供給させるとともに、放射パネル５２Ｋ以外の放射パネル５２Ａ〜５２Ｊ，５２Ｌ〜５２Ｐの放射空調用流路７２をバイパスさせる。
【００７６】
具体的には、ダンパ制御部２８Ｃは、放射パネル５２Ｋのダンパ６６と端面６１ｂとを当接させ、かつ放射パネル５２Ａ〜５２Ｊ，５２Ｌ〜５２Ｐのダンパ６６と端面６１ａとを当接させる制御を行う。
【００７７】
これにより、放射パネル５２Ａ〜５２Ｊ，５２Ｌ〜５２Ｐ内に供給された冷風または温風は、放射パネル５２Ａ〜５２Ｊ，５２Ｌ〜５２Ｐのバイパス用流路７１のみを流れるため、放射パネル５２Ａ〜５２Ｊ，５２Ｌ〜５２Ｐの上方に位置する床材４の放射空調にほとんど寄与しない。
一方、人Ｍの下方に位置する放射パネル５２Ｋの放射空調用流路７２内には、冷風または温風が供給されるので、人Ｍの下方に位置する床材４の一部を放射空調することができる。
【００７８】
次に、図１〜図６を参照して、一部の床材４のみを空気式放射空調システム１０により放射空調する方法について説明する。
【００７９】
初めに、図６に示す処理が開始されると、Ｓ１では、人感センサ２６により人Ｍの位置を検出する。人感センサ２６は、人Ｍの位置に関する位置情報を制御装置２８の放射パネル特定部２８Ａに入力する。
次いで、Ｓ２では、入力された位置情報に基づいて、放射パネル特定部２８Ａにより、人Ｍの下方に位置する放射パネル５２Ｋを特定する。
【００８０】
次いで、Ｓ３では、ダンパ特定部２８Ｂにより、放射パネル５２Ｋに対応するダンパ６６を特定する。
次いで、Ｓ４では、ダンパ制御部２８Ｃにより、放射パネル５２Ａ〜５２Ｐのダンパ６６を制御することで、放射パネル５２Ｋの放射空調用流路７２に冷風または温風を供給するとともに、他の放射パネル５２Ａ〜５２Ｊ，５２Ｌ〜５２Ｐの放射空調用流路７２をバイパスさせる。このとき、冷風または温風は、放射パネル５２Ａ〜５２Ｊ，５２Ｌ〜５２Ｐのバイパス用流路７１のみを流れる。
【００８１】
次いで、Ｓ５では、放射パネル５２Ｋの放射空調用流路７２に供給された冷風または温風により、放射パネル５２Ｋの上方に位置する床材４の一部を放射空調させる。
例えば、放射パネル５２Ｋの放射空調用流路７２のみに冷風を供給した場合、冷風は、床材４の一部のみを冷却するため、床材４全体を冷却した冷風と比較して、放射パネル５２Ｋから導出されたときの温度上昇が小さい。
また、例えば、放射パネル５２Ｋの放射空調用流路７２のみに温風を供給した場合、温風は、床材４の一部のみを温めるため、床材４全体を温めた温風と比較して、放射パネル５２Ｋから導出されたときの温度低下が小さい。
放射パネル５２Ｋから導出された冷風または温風は、放射パネル５２Ｌのバイパス用流路７１を流れた後、第２の配管２２Ｃを介して、吹き出し口１６Ｃに供給される。
【００８２】
次いで、Ｓ６では、吹き出し口１６Ｃから部屋７内に吹き出された冷風または温風により、対流空調が行われる。
このとき、部屋７内には、床材４全体を冷却した冷風と比較して、温度上昇の小さい冷風、または床材４全体を温めた温風と比較して、温度低下の小さい温風が吹き出されるため、対流空調の効果を高めることができる。その後、図６に示す処理は終了する。
【００８３】
なお、図６に示す処理は、冷房運転開始時及び暖房運転開始時に行うとよい。
冷房運転開始時に一部の放射パネル５２Ｋのみに冷風を供給することで、冷房運転開始から早い段階で、一部の放射パネル５２Ｋの上方に位置する床材４の一部を効率良く冷やすことができる。
また、暖運転開始時に一部の放射パネル５２Ｋのみに温風を供給することで、暖房運転開始から早い段階で、一部の放射パネル５２Ｋの上方に位置する床材４の一部を効率良く温めることができる。
【００８４】
本実施形態の空気式放射空調システム１０によれば、入力された情報に基づいて、複数の放射パネル５２Ａ〜５２Ｐのうち、一部の放射パネル５２Ｋの放射空調用流路７２のみに冷風または温風を供給する制御装置２８を有することで、一部の放射パネル５２Ｋに対応する床材４の一部のみを放射空調することが可能となるので、床材４の一部を効率良く放射空調することができる。
【００８５】
また、床材４の下面４ｂに設けられ、空気案内用ダクト１５側から吹き出し口１６Ａから１６Ｄ側に向かうＸ方向において接触した状態で直列配置された複数の放射パネル５２Ａ〜５２Ｐからなる放射パネル群１７Ａ〜１７Ｄと、制御装置２８により制御され、バイパス用流路７１のみに冷風または温風を供給するか、放射空調用流路７２に冷風または温風を供給するかを切り替えるダンパ６６と、を備えるとともに、Ｘ方向において、互いに隣り合う放射パネル５２Ａ〜５２Ｐのうち、前段に配置された放射パネルの空気導出口６１Ｂと後段に配置された放射パネルの空気導入口６１Ａとを連通させることで、Ｘ方向において各放射パネルを構成するバイパス用流路７１を連通させることが可能となる。
【００８６】
これにより、Ｘ方向に配置された複数のバイパス用流路７１を、各放射パネル５２Ａ〜５２Ｐをバイパスさせるバイパス用流路として機能させることが可能となる。したがって、各放射パネル５２Ａ〜５２Ｐに対してそれぞれバイパス用の配管を設ける必要がないため、空気式放射空調システム１０の構成要素の数を少なくすることができる。
【００８７】
なお、本実施形態では、一例として、放射パネル５２Ｋの放射空調用流路７２のみに冷風または温風を供給する場合を例に挙げて説明したが、冷風または温風を供給する放射パネルは、人Ｍがいる位置によって適宜変更が可能である。
【００８８】
また、本実施形態では、１つの放射パネル５２Ｋの放射空調用流路７２のみに冷風または温風を供給させた場合を例に挙げて説明したが、冷風または温風を供給する放射パネルの数は、全ての放射パネル５２Ａ〜５２Ｐのうちの一部の放射パネルであればよく、１つの放射パネルに限定されない。例えば、２つの放射パネルの放射空調用流路７２のみや、３つの放射パネルの放射空調用流路７２のみに冷風または温風を供給させてもよい。
【００８９】
次に、図４、図７〜図９を参照して、本実施形態の変形例に係る空気式放射空調システム８０について説明する。
図７において、図１に示す構造体と同一構成部分には同一符号を付す。また、図８において、図５及び図７に示す構造体と同一構成部分には、同一符号を付す。
【００９０】
空気式放射空調システム８０は、本実施形態の空気式放射空調システム１０を構成する人感センサ２６に替えて温度センサ８１を有するとともに、制御装置２８の放射パネル特定部２８Ａが行う処理が異なること以外は、空気式放射空調システム１０と同様に構成されている。
【００９１】
温度センサ８１は、天井６の下面６ｂに設けられている。温度センサ８１は、制御装置２８と電気的に接続されている。温度センサ８１は、床材４の表面全体の温度を検出するとともに、検出した温度情報（温度分布に関する情報）を制御装置２８の放射パネル特定部２８Ａに入力する。
【００９２】
放射パネル特定部２８Ａは、冷房運転信号または暖房運転信号と、温度センサ８１からの温度情報と、に基づいて、複数の放射パネル５２Ａ〜５２Ｐ（図４参照）のうち、一部の放射パネルを特定する。
例えば、放射パネル特定部２８Ａに暖房運転信号が入力され、部屋７の奥に配置された放射パネル５２Ｄ，５２Ｈ，５２Ｌ，５２Ｐの上方に位置する床材４の表面の温度が他の領域の表面温度よりも低い場合には、放射パネル特定部２８Ａは、一部の放射パネルとして、放射パネル５２Ｄ，５２Ｈ，５２Ｌ，５２Ｐを特定する。
【００９３】
また、例えば、放射パネル特定部２８Ａに冷房運転信号が入力され、壁２の近くに配置された放射パネル５２Ａ，５２Ｅ，５２Ｉ，５２Ｍの上方に位置する床材４の表面の温度が他の領域の表面温度よりも高い場合には、放射パネル特定部２８Ａは、一部の放射パネルとして、放射パネル５２Ａ，５２Ｅ，５２Ｉ，５２Ｍを特定する。
【００９４】
次に、図４及び図９を参照して、一部の床材４のみを空気式放射空調システム８０により放射空調する方法について説明する。
ここでは、一例として、放射パネル特定部２８Ａに暖房運転信号が入力され、一部の放射パネルとして、放射パネル５２Ｄ，５２Ｈ，５２Ｌ，５２Ｐを特定する場合を例に挙げて、以下の説明を行う。
【００９５】
初めに、図９に示す処理が開始されると、Ｓ７では、温度センサ８１により、床材４の表面全体の温度の検出が行われる。温度センサ８１は、検出した温度情報（温度分布に関する情報）を制御装置２８に入力する。
【００９６】
次いで、Ｓ８では、暖房運転信号と、温度センサ８１からの温度情報と、に基づいて、複数の放射パネル５２Ａ〜５２Ｐのうち、一部の放射パネルとして、床材４のうち、他の領域よりも表面温度が低い領域の下方に配置された放射パネル５２Ｄ，５２Ｈ，５２Ｌ，５２Ｐを特定する。
【００９７】
次いで、Ｓ９では、ダンパ特定部２８Ｂにより、放射パネル５２Ｄ，５２Ｈ，５２Ｌ，５２Ｐに対応するダンパ６６（４つのダンパ６６）を特定する。
【００９８】
次いで、Ｓ１０では、ダンパ制御部２８Ｃにより、放射パネル５２Ｄ，５２Ｈ，５２Ｌ，５２Ｐに対応するダンパ６６と端面６１ｂとを接触させるとともに、放射パネル５２Ａ〜５２Ｃ，５２Ｅ〜５２Ｇ，５２Ｉ〜５２Ｋ，５２Ｍ〜５２Ｏと端面６１ａとを接触させる。
【００９９】
次いで、Ｓ１１では、放射パネル５２Ｄ，５２Ｈ，５２Ｌ，５２Ｐの放射空調用流路７２のみに温風を供給することで、放射パネル５２Ｄ，５２Ｈ，５２Ｌ，５２Ｐの上方に位置する床材４の一部を放射空調させる。
この場合も先に説明した空気式放射空調システム１０を用いた場合と同様に、全ての放射パネル５２Ａ〜５２Ｐのうち、放射パネル５２Ｄ，５２Ｈ，５２Ｌ，５２Ｐのみに温風が供給されるため、床材４の一部を効率良く放射空調することができる。
【０１００】
次いで、Ｓ１２では、放射パネル５２Ｄ，５２Ｈ，５２Ｌ，５２Ｐ内を通過した温風が１６Ａ〜１６Ｄから部屋７内に吹き出されることで、対流空調が行われる。
このとき、全ての放射パネル５２Ａ〜５２Ｐに温風を供給させた場合と比較して、放射パネル５２Ｄ，５２Ｈ，５２Ｌ，５２Ｐから導出されたときの温風の温度低下が小さくなるため、対流空調の効果を高めた上で、空気式放射空調システム８０の省エネルギー化を図ることができる。
【０１０１】
上述したように、空気式放射空調システム８０は、先に説明した空気式放射空調システム１０と同様な効果を得ることができる。
【０１０２】
なお、空気式放射空調システム８０に、先に説明した人感センサ２６を組み合わせてもよい。
【０１０３】
以上、本発明の好ましい実施形態について詳述したが、本発明はかかる特定の実施形態に限定されるものではなく、特許請求の範囲内に記載された本発明の要旨の範囲内において、種々の変形・変更が可能である。
【０１０４】
例えば、上述した空気式放射空調システム１０，８０では、一例として、人感センサ２６の入力情報、または温度センサ８１の入力情報に基づいて、放射パネルを特定したが、例えば、リモコンにより、冷風または温風を供給する一部の放射パネルを特定してもよい。
また、図１及び図７では、一例として、筐体４５内に膨張弁３９を配置させた場合を例に挙げて説明したが、例えば、筐体３５内に膨張弁３９を配置させてもよい。
【符号の説明】
【０１０５】
１…床スラブ
１ａ，４ａ，６ａ…上面
２，３…壁
４…床材
４Ａ，６Ａ，６Ｂ…開口部
４ｂ，６ｂ…下面
６…天井
７…部屋
１０，８０…空気式放射空調システム
１１…室内機
１２…室外機
１４…冷凍サイクル
１５…空気案内用ダクト
１５Ａ…上端部
１５Ｂ…下端部
１６Ａ〜１６Ｄ…吹き出し口
１７Ａ〜１７Ｄ…放射パネル群
１９…支持部材
２１Ａ〜２１Ｄ…第１の配管
２２Ａ〜２２Ｄ…第２の配管
２６…人感センサ
２８…制御装置
２８Ａ…放射パネル特定部
２８Ｂ…ダンパ特定部
２８Ｃ…ダンパ制御部
３５，４５，６１…筐体
３５Ａ…突出部
３５Ｂ…吸い込み口
３５Ｃ…導出口
３７…フィルタ
３８…室内熱交換器
３９…膨張弁
４２…送風ファン
４５Ａ…外気取り込み口
４６…室外熱交換器
４７…圧縮機
４９…ファン
５１…冷媒循環ライン
５２Ａ〜５２Ｐ…放射パネル
６１Ａ…空気導入口
６１Ｂ…空気導出口
６３〜６５…流路形成用部材
６１ａ，６１ｂ…端面
６６…ダンパ
６８…流路
７１…バイパス用流路
７２…放射空調用流路
７２Ａ…第１の流路部
７２Ｂ〜７２Ｅ…第２の流路部
８１…温度センサ
Ｃ…方向
Ｍ…人
【図１】
2019215132.tif 000003
【図２】
2019215132.tif 000004
【図３】
2019215132.tif 000005
【図４】
2019215132.tif 000006
【図５】
2019215132.tif 000007
【図６】
2019215132.tif 000008
【図７】
2019215132.tif 000009
【図８】
2019215132.tif 000010
【図９】
2019215132.tif 000011